(57)【要約】【課題】利用可能性に応じて医療情報を適切な時期に削除する。【解決手段】画像サーバは、医療情報記憶部に医療情報を保存し、制御部により前記医療情報について保存期間を計時し、その保存期間が第１期間を経過した医療情報については前記医療情報記憶部から論理削除し（ステップＳ５）、その後さらに第２期間を経過した医療情報については前記医療情報記憶部から物理削除する（ステップＳ９）。【選択図】図４
2008250791.tif 000002
【特許請求の範囲】
【請求項１】
医療情報を保存するための記憶手段と、
前記医療情報について保存期間を計時し、その保存期間が第１期間を経過した医療情報については前記記憶手段から論理削除し、その後さらに第２期間を経過した医療情報については前記記憶手段から物理削除する制御手段と、
を備える医療情報処理装置。
【請求項２】
前記制御手段は、前記第１期間が経過する前に、前記医療情報が前記記憶手段から読み出された場合、その読み出されたときから新たに保存期間の計時を開始する請求項１に記載の医療情報処理装置。
【請求項３】
操作手段を備え、
前記制御手段は、前記第１期間が経過する前に、前記操作手段を介して医療情報について削除が指示されると、当該指示に係る医療情報を論理削除する請求項１又は２に記載の医療情報処理装置。
【請求項４】
操作手段を備え、
前記制御手段は、前記論理削除後、第２期間経過前に、当該論理削除された医療情報について前記操作手段を介して復元が指示されると、当該指示に係る医療情報を復元するとともに、当該復元のときから新たに当該医療情報の保存期間の計時を開始する請求項１又は２に記載の医療情報処理装置。
【請求項５】
コンピュータを、
医療情報を保存するための記憶手段、
前記医療情報について保存期間を計時し、その保存期間が第１期間を経過した医療情報については前記記憶手段から論理削除し、その後さらに第２期間を経過した医療情報については前記記憶手段から物理削除する制御手段、
として機能させるためのプログラム。
【発明の詳細な説明】
【技術分野】
【０００１】
本発明は、医療情報処理装置及びプログラムに関する。
【背景技術】
【０００２】
医療機関では、法令等により医用画像やカルテ等、医療に関する医療情報のデータは一定期間保存することが義務付けられている。一定期間経過後は削除が可能であるが、再診時に利用するものもあるため、さらに保存を継続することもある。しかし、保存する情報量が多くなるとメモリの記憶容量を圧迫するため、利用性が低い情報から順次削除していくことが望ましい。
【０００３】
従来、削除してはならないデータには削除除外情報を付帯させるシステムが開示されている（例えば、特許文献１参照）。これによれば、重要なデータには削除除外情報を付帯させておき、その他のデータについては、利用可能性が低いものから削除することが可能となる。
【特許文献１】特開２００６−２６０３００号公報
【発明の開示】
【発明が解決しようとする課題】
【０００４】
しかしながら、利用者が逐一削除するデータを選択して削除の処理を行うのは煩雑である。一方、自動的に一定期間経過後に削除していくと、患者が再受診した場合等、一定期間経過後に削除した医療情報について再利用する必要が生じた場合に、情報の復元ができなくなる。
【０００５】
また、誤って入力された医療情報等についても、その取り扱いが問題となる。例えば、誤った情報を消去し、その履歴情報を残す方法が考えられる。しかし、この方法では履歴から消去を行った者や日付等について追跡することができるが、消去した情報自体を復元することはできない。
【０００６】
これに対し、完全に情報を消去せずに、利用者からは存在しないようにみせかける論理削除を行う方法も考えられる。この場合、情報の復元は可能だが、完全消去はされていないため、メモリの記憶容量を占めることになるという問題点は解消されない。
【０００７】
本発明の課題は、利用可能性に応じて医療情報を適切な時期に削除することである。
【課題を解決するための手段】
【０００８】
請求項１に記載の発明は、医療情報処理装置において、
医療情報を保存するための記憶手段と、
前記医療情報について保存期間を計時し、その保存期間が第１期間を経過した医療情報については前記記憶手段から論理削除し、その後さらに第２期間を経過した医療情報については前記記憶手段から物理削除する制御手段と、
を備える。
【０００９】
請求項２に記載の発明は、請求項１に記載の医療情報処理装置において、
前記制御手段は、前記第１期間が経過する前に、前記医療情報が前記記憶手段から読み出された場合、その読み出されたときから新たに保存期間の計時を開始する。
【００１０】
請求項３に記載の発明は、請求項１又は２に記載の医療情報処理装置において、
操作手段を備え、
前記制御手段は、前記第１期間が経過する前に、前記操作手段を介して医療情報について削除が指示されると、当該指示に係る医療情報を論理削除する。
【００１１】
請求項４に記載の発明は、請求項１又は２に記載の医療情報処理装置において、
操作手段を備え、
前記制御手段は、前記論理削除後、第２期間経過前に、当該論理削除された医療情報について前記操作手段を介して復元が指示されると、当該指示に係る医療情報を復元するとともに、当該復元のときから新たに当該医療情報の保存期間の計時を開始する。
【００１２】
請求項５に記載の発明は、
コンピュータを、
医療情報を保存するための記憶手段、
前記医療情報について保存期間を計時し、その保存期間が第１期間を経過した医療情報については前記記憶手段から論理削除し、その後さらに第２期間を経過した医療情報については前記記憶手段から物理削除する制御手段、
として機能させるためのプログラムである。
【発明の効果】
【００１３】
請求項１、５に記載の発明によれば、第１期間の経過時には論理削除を行うので、その後、第２期間が経過するまでは医療情報の復元が可能となる。また、第２期間経過時には物理削除を行うので、医療情報の保存に必要な記憶容量を減らして保存に係るコストの削減を図ることができる。このように、ある保存期間が経過後直ちに医療情報を物理削除するのではなく、医療情報の削除を第１期間及び第２期間の２段階で行うことにより、医療情報の利用可能性を見極めたうえで、適切な時期に削除を行うことができる。
【００１４】
請求項２に記載の発明によれば、第１期間が経過するまでに読み出された医用画像は利用可能性があると判断できるので、このような場合は再度第１期間の計時をやり直すことにより、利用可能性の高いものは引き続き保存し、利用可能性の低いものは順次削除してゆくことができる。よって、医療情報の利用可能性に応じた適切な削除が可能となる。
【００１５】
請求項３に記載の発明によれば、ユーザの削除指示がされた医療情報についても直ちに物理削除するのではなく、論理削除によって復元可能な状態でさらに保存することができる。
【００１６】
請求項４に記載の発明によれば、医療情報を復元することができる。また、復元された医療情報は利用可能性があると判断できるので、当該復元のときから第１期間の計時を開始することにより、利用可能性のある医療情報の保存期間を延長することができる。
【発明を実施するための最良の形態】
【００１７】
まず、構成を説明する。
図１に、医用画像システム１を示す。
医用画像システム１は、本実施形態に係る画像サーバ１０と、読影端末２０、モダリティ３０とがネットワークＮ１を介して接続された第１のシステムと、画像サーバ１０と電子カルテ端末４０とがネットワークＮ２を介して接続された第２のシステムと、を含んでいる。第１のシステムは、医用画像の読影を主に行う読影医によって利用され、第２のシステムは読影結果を用いて診察を行う参照医によって利用される。
【００１８】
まず、第１のシステムについて説明する。
画像サーバ１０は、医療情報を保存、管理する医療情報処理装置である。医療情報とは、モダリティ３０において生成された医用画像、読影端末２０において生成された読影レポートその他医療に関する情報をいう。
【００１９】
図２に、画像サーバ１０の構成を示す。
図２に示すように、画像サーバ１０は、制御部１１、操作部１２、表示部１３、通信部１４、記憶部１５、医療情報記憶部１６を備えて構成されている。
【００２０】
制御部１１は、記憶部１５に記憶されている制御プログラムとの協働により、各部の集中制御、各種演算を行う。なお、制御部１１は内部クロックにより時間の計時が可能である。
操作部１２は、キーボード、マウス等を備え、これらの操作に応じた操作信号を生成して制御部１１に出力する。
表示部１３は、ディスプレイ等を備え、制御部１１の表示制御に従ってこのディスプレイ上に操作画面等を表示する。
【００２１】
通信部１４は、通信用のインターフェイスを備え、ネットワークＮ１、Ｎ２上の各装置と通信を行う。
記憶部１５は、制御プログラム、当該プログラムの実行に必要なパラメータやファイル等を記憶している。
【００２２】
医療情報記憶部１６は、医療情報を記憶する。医療情報は図３に示すようにフォルダにより保存、管理される。図３に示すように、患者毎に患者フォルダＦ１が作成され、この患者フォルダＦ１に対応付けて検査フォルダＦ２、レポートフォルダＦ３が設けられている。検査フォルダＦ２は医用画像のデータを格納するためのものであり、レポートフォルダＦ３は読影レポートのデータを格納するためのものである。検査フォルダＦ２にはさらにシリーズ１フォルダＦ４１、シリーズ２フォルダＦ４２等のフォルダが設けられている。シリーズごとに医用画像を分類して管理するためである。ここで、シリーズとは互いに関連した一連の医用画像群をいう。例えば、ＣＴ（Computed Tomography）装置においてある１つの撮影範囲から得られた複数の医用画像等である。
【００２３】
医用画像、読影レポート等の各フォルダによって保存されている医療情報のデータには、タイムスタンプｔが付されている。タイムスタンプｔは、保存された日時を示す付帯情報である。このタイムスタンプによる日時は、データを削除するまでの期間を計時する際の計時開始日時となる。
【００２４】
なお、フォルダにデータを格納するとは、実際には医療情報記憶部１６におけるデータの保存場所を示す情報がフォルダに対応付けて記憶されることをいう。フォルダ内のデータの読出時には、まず所望のフォルダを検索し、検索されたフォルダに対応するデータの保存場所を読み出して、当該保存場所からデータを読み出すこととなる。
また、フォルダの作成、編集、フォルダへの医療情報の振り分け、タイムスタンプｔの付帯等は制御部１１において行う。
【００２５】
読影端末２０は、読影医の読影に供するため医用画像を表示するものである。読影端末２０は制御部、操作部、表示部、通信部、記憶部等から構成される情報処理装置であり、例えば医用画像の閲覧用ソフトウェアを組み込んだＰＣ（パーソナルコンピュータ）等が挙げられる。
【００２６】
読影端末２０は、読影レポート作成機能を有している。読影時には、画像サーバ１０から取得した医用画像を表示させるだけでなく、読影レポートの作成画面を表示させ、当該作成画面において入力された情報を元に読影レポートを生成する。読影端末２０は、作成した読影レポートを画像サーバ１０に送信するとともに、これを医療情報として保存する。
【００２７】
モダリティ３０は、検査撮影により撮影画像を生成するものである。モダリティ３０としては、例えばＣＲ（Computed Radiography）装置やＭＲＩ（Magnetic Resonance Imaging）装置、ＣＴ装置等が挙げられる。
【００２８】
次に、第２のシステムについて説明する。
第２のシステムは、画像サーバ１０が保存している医用画像、読影レポート等の医療情報を電子カルテ端末４０に提供するものである。
【００２９】
電子カルテ端末４０は、電子カルテを作成する電子カルテ機能を有し、合わせて医師の診察に供するため医用画像、読影レポートの表示を行う。電子カルテ端末４０は、制御部、操作部、表示部、通信部、記憶部等から構成される情報処理装置であり、電子カルテ作成用のソフトウェアを組み込んだＰＣ等が適用可能である。
電子カルテ端末４０は、作成した電子カルテの他、処方箋等を医療情報として保存する。
【００３０】
次に、上記医用画像システム１の動作について説明する。
最初に、医用画像システム１における全体的な処理の流れを説明する。
まず、モダリティ３０において撮影を行い、その医用画像を生成すると、モダリティ３０から画像サーバ１０へ医用画像を送信する。画像サーバ１０では、送信された医用画像をＤＩＣＯＭ（Digital Imaging and Communication in Medicine）規格に従って医療情報記憶部１６に保存する。ＤＩＣＯＭは医用画像に関する規格であり、異なる機器間における医用画像の互換性を持たせるため、医用画像の保存形式に共通規定をおいている。画像サーバ１０では、このＤＩＣＯＭ規格に従って医用画像を保存する。具体的には、患者情報、検査情報の他、シリーズに関するシリーズ情報、医用画像に関する画像詳細情報等を医用画像に付帯させる。これら付帯情報によって各医用画像を管理することができる。
【００３１】
画像サーバ１０は保存した医用画像を、読影端末２０に配信する。読影端末２０では、配信された医用画像を表示し、読影に供する。また、読影レポートの作成画面を表示し、読影医によって操作入力された入力情報を元に読影レポートのデータを生成する。読影端末２０は、生成した読影レポートのデータを画像サーバ１０に送信する。画像サーバ１０は、読影端末２０から送信された読影レポートを医療情報記憶部１６に保存する。
【００３２】
画像サーバ１０は、医療情報記憶部１６に保存した医用画像及び読影レポートを、電子カルテ端末４０からの要求に応じて配信する。電子カルテ端末４０は、画像サーバ１０から取得した医用画像、読影レポートを表示し、参照医の診察に供する。また、電子カルテ端末４０は、電子カルテの作成画面等を表示し、参照医によって操作入力された入力情報を元に電子カルテ、処方箋等のデータを生成し、保存する。
【００３３】
このように、画像サーバ１０は保存している医療情報を読影端末２０や電子カルテ端末４０に配信する一方で、一定期間の経過によって医療情報を削除する削除処理を行う。削除するまでの保存期間には、第１期間と第２期間がある。第１期間は論理削除を行う契機となる期間であり、第２期間は論理削除後に物理削除を行う契機となる期間である。第１期間としては医用画像を保存すべき期間として義務づけられている法定期間（例えば、５年等）、第２期間としてはさらに猶予期間として設けておきたい期間（例えば、２年等）を設定しておくことができる。
【００３４】
以下、図４を参照して、画像サーバ１０が実行する削除処理について説明する。なお、ここでは医療情報として医用画像を削除する場合を例に説明するが、読影レポート等の他の医療情報を削除する際にも同様の処理が行われる。
図４に示すように、画像サーバ１０ではモダリティ３０から医用画像が送信されると、制御部１１がタイムスタンプを生成して当該医用画像に付帯させ、医療情報記憶部２６に保存させる（ステップＳ１）。タイムスタンプの日時は、医用画像の最初の保存時の日時となる。
【００３５】
その後、制御部１１は、医用画像の読み出しが要求されたか否かを判別する（ステップＳ２）。電子カルテ端末４０等から医用画像の読み出しの要求がなされた場合（ステップＳ２；Ｙ）、制御部１１は当該医用画像に読み出した日時のタイムスタンプを新たに付し、タイムスタンプを更新する（ステップＳ３）。制御部１１はこの更新されたタイムスタンプの日時から保存期間の計時を新たに開始することとなる。すなわち、読み出された医用画像は利用可能性があることから、削除する機会を先送りすることとなる。
例えば、最初の保存時に付されたタイムスタンプの日時が「2007.4.5.10:00:06」であった場合、この日時から保存期間が計時されていたが、その後、読み出しがあり新たな日時のタイムスタンプ「2008.10.2.11:00:23」が付された場合には、この「2008.10.2.11:00:23」の日時から計時を開始することとなる。
【００３６】
一方、医用画像の読み出しの要求が無い場合（ステップＳ２；Ｎ）、当該医用画像は利用可能性が低いことから上記のような先送りはせずに、ステップＳ４の処理に移行する。
ステップＳ４では、制御部１１は医用画像の保存期間が第１期間を経過したか否かを判別する（ステップＳ４）。第１期間を経過していない場合（ステップＳ４；Ｎ）、まだ保存すべき期間にあると判断し、削除を行わずにステップＳ２の処理に戻る。一方、第１期間を経過している場合（ステップＳ４；Ｙ）、制御部１１は保存すべき期間は経過したと判断し、当該第１期間を経過した医用画像の論理削除を行う（ステップＳ５）。論理削除とは、データ自体を消去するのではなく、データが消去された旨を示す管理情報を生成し、これを用いてデータが消去されたものとして管理することである。具体的には、第１期間が経過した医用画像が格納されているフォルダに当該医用画像を論理削除する旨のフラグ（上記管理情報に該当する）を設ける。
【００３７】
この論理削除された医用画像については、復元が可能である。例えば、医療情報記憶部１６に保存されている医用画像については、図５に示すような表示画面ｄ１により一覧表示させることが可能である。表示画面ｄ１では、患者及び検査ごとに撮影された医用画像についての情報が一覧表示されている。この一覧によれば、患者ＩＤ「ＥＭ００１」の患者は検査ＩＤ「３８２」の検査によって撮影された医用画像が存在することが分かる。
【００３８】
表示画面ｄ１において、制御部３１は論理削除された医用画像については、ユーザから当該医用画像の存在が把握できないよう、その情報を非表示とし、指示に応じて表示させる。具体的には、図５に示すように、論理削除された医用画像の表示を指示するためのキーｋ１を設けておき、このキーｋ１の操作に応じて、制御部３１は論理削除された医用画像の情報一覧をプルダウン表示させる。プルダウン表示された例を図６に示す。
【００３９】
図６に示すように、論理削除された医用画像の情報一覧については、論理削除されていない他の医用画像と識別可能とするため、色を変えるか、グレーアウトにする等、異なる表示形態とする。
ユーザは、この論理削除された医用画像を復元したい場合には、操作部１２を介してプルダウン表示された中から復元したい医用画像を選択した後、復元の指示操作を行う。復元の指示操作は、例えば右クリック操作等により復元の操作キーを表示させ、この操作キーにより可能とする。
【００４０】
制御部３１は復元の指示操作に応じて、論理削除された医用画像を復元する。具体的には、医用画像が格納されているフォルダにおいて論理削除のフラグを削除する。また、復元と同時に復元した日時のタイムスタンプを新たに付して更新する（ステップＳ７）。保存期間はこの更新された日時から新たに計時されることとなる。このように新たにタイムスタンプを付して削除機会を先送りするのは、復元によって医用画像の利用可能性が推認できるためである。その後、ステップＳ２の処理に戻り、上記の処理を繰り返す。
【００４１】
これに対し、復元の指示操作が特になされない場合（ステップＳ６；Ｎ）、制御部３１は医用画像の保存期間が第１期間を経過後、さらに第２期間を経過したか否かを判別する（ステップＳ８）。第２期間を経過していない場合（ステップＳ８；Ｎ）、ステップＳ６の処理へ戻る。
第２期間が経過した場合（ステップＳ８；Ｙ）、制御部３１は当該第２期間が経過した医用画像については利用可能性が低いと判断して、当該医用画像の物理削除を行う（ステップＳ９）。物理削除とは、データ自体を消去することをいう。データ自体を消去するので、その後当該データを復元することはできない。具体的には医用画像のデータに白紙データやランダムデータ等を上書きし、完全にデータの消去を行う。その後、本処理を終了する。なお、完全に消去するまでもなく、医用画像が格納されているフォルダに物理削除のフラグを設定し、この物理削除のフラグが設定された医用画像の記憶領域は上書き可能としておくこととしてもよい。
【００４２】
以上のように、本実施形態によれば、医療情報の保存期間として第１期間及び第２期間を設け、第１期間の経過時には論理削除、第２期間の経過時には物理削除と、これら期間の経過により２段階で医療情報の削除処理を行う。よって、第１期間として医療情報を保存しておかなければならない期間を設定することにより、保存の義務を果たすことができる。また、保留期間として第２期間を設定することにより、直ちに医療情報を物理削除するのではなく、医療情報の利用可能性を見極めてから物理削除を行うことができる。すなわち、利用可能性の高いものは引き続き保存し、利用可能性の低いものは順次削除してゆくことができる。
【００４３】
このように本実施形態によれば、利用可能性に応じて医療情報の保存と削除を適切な機会に行うことができる。第２期間経過後は、完全に消去する物理削除を行うことにより、医療情報の保存に必要な記憶容量を減らして保存に係るコスト削減を図ることができる。
これらの処理は画像サーバ１０において実行するので、医師等が逐一医療情報ごとに削除する操作を行う必要がない。よって、作業の効率化を図ることができる。
【００４４】
また、第１期間又は第２期間の経過前に医療情報の読み出しがあったものについては、利用可能性が高いと判断し、その読み出し時にタイムスタンプを更新して保存期間の計時を新たにやり直す。よって、利用可能性の高いものについては削除の機会を先送りすることができる。
【００４５】
また、第１期間の経過後、第２期間が経過するまでは、論理削除された医療情報の復元が可能である。よって、この期間の間は医療情報が失われるのを防ぐことができる。
【００４６】
なお、上記実施形態は本発明を適用した好適な一例であり、これに限らない。
例えば、上記実施形態では第１期間が経過した医療情報を論理削除した場合を説明したが、これに限らず、ユーザによって操作部３２を介して削除の指示がなされた医療情報についても論理削除を行うこととしてもよい。この場合、削除の指示がなされた医療情報を論理削除するとともに、当該医療情報にその論理削除の日時のタイムスタンプを付し、その日時から第２期間を計時する。そして、第２期間経過後はこれを物理削除する。この構成によれば、ユーザが自ら削除した医療情報についても、直ちに物理削除するのではなく利用可能性を鑑みて、ユーザには削除したように見せながらも復元可能に保存しておくことができる。
【００４７】
また、第１期間及び第２期間の設定は、操作部１２を介して可能な構成としてもよい。その医療機関の保存の必要性に応じて設定することができ、利便性が向上する。
【００４８】
また、上記実施形態では、画像サーバ１０で医用画像の削除処理を行う例を説明したが、当該削除処理のプログラムを他の装置にインストールすることにより、当該他の装置において扱う医療情報についても適用することが可能である。例えば、電子カルテ端末４０において保存する電子カルテや処方箋等の医療情報を削除する際に当該削除処理を行うこととしてもよいし、読影端末２０において保存する読影レポート等の医療情報を削除する際に行ってもよい。これにより、他の装置において扱う医療情報についてもその利用可能性に応じて適切な時期に適切な削除処理が可能となる。
【図面の簡単な説明】
【００４９】
【図１】医用画像システムのシステム構成を示す図である。
【図２】本実施形態に係る画像サーバの機能的構成を示す図である。
【図３】図２の医療情報記憶部のフォルダ構成を示す図である。
【図４】画像サーバが実行する削除処理を説明するフローチャートである。
【図５】論理削除された医療情報を非表示とする画面例を示す図である。
【図６】論理削除された医療情報の復元操作を説明する図である。
【符号の説明】
【００５０】
１  医用画像システム
１０  画像サーバ
１１  制御部
１２  操作部
１３  表示部
１６  医療情報記憶部
２０  読影端末
【図１】
2008250791.tif 000003
【図２】
2008250791.tif 000004
【図３】
2008250791.tif 000005
【図４】
2008250791.tif 000006
【図５】
2008250791.tif 000007
【図６】
2008250791.tif 000008